(57)【要約】  【課題】  本発明の目的は、バスダクトの水平曲り部を形成するに際し、部品点数を少なくでき、それ故、部品管理が容易で、しかも接続作業時間を短縮できるＬ字型寸法調整用バスダクトユニットを提供することにある。  【解決手段】  本発明のＬ字型寸法調整用バスダクトユニットは、Ｌ字型の剛性筒体３と、Ｌ字型の剛性筒体３の両端部にこのＬ字型の剛性筒体３に対して出入り可能に装着されてなる伸縮調整バスダクト部材７と、伸縮調整バスダクト部材７をＬ字型の剛性筒体３内で電気的に接続する可撓性導体５とを備えていて、Ｌ字型の剛性筒体３の端部に装着された蓋体３ａと、伸縮調整バスダクト部材７に設けられた支持部材８との間隔を蓋体３ａと支持部材８とに跨って装着されているボルト９で調整できるようになっていることを特徴としている。  【選択図】  図１
2006149133.tif 000002
【特許請求の範囲】
【請求項１】
Ｌ字型の剛性筒体と、該Ｌ字型の剛性筒体の両端部にこのＬ字型の剛性筒体に対して出入り可能に装着されてなる伸縮調整バスダクト部材と、該伸縮調整バスダクト部材を前記Ｌ字型の剛性筒体内で電気的に接続する可撓性導体とを有することを特徴とするＬ字型寸法調整用バスダクトユニット。
【請求項２】
前記Ｌ字型の剛性筒体内における前記伸縮調整バスダクト部材は、前記Ｌ字型の剛性筒体端部に装着されている蓋体との間に間隔を有した状態で支持部材を有していて、前記蓋体と前記支持部材との間隔を調整することで前記伸縮調整バスダクト部材の前記Ｌ字型の剛性筒体に対する出入り量を調整できるようになっていることを特徴とする請求項１記載のＬ字型寸法調整用バスダクトユニット。
【請求項３】
前記Ｌ字型の剛性筒体の端部に装着された蓋体と前記伸縮調整バスダクト部材に設けられた支持部材とに跨って、これら蓋体と支持部材との間隔を調整する間隔調整ボルトが設けられていることを特徴とする請求項２記載のＬ字型寸法調整用バスダクトユニット。
【発明の詳細な説明】
【技術分野】
【０００１】
本発明は、互いに直角方向に布設されるバスダクト同士を、その離間距離を寸法調整しながら接続可能なＬ字型寸法調整用バスダクトユニットに関するものである。
【背景技術】
【０００２】
従来、水平方向に直角に曲がる部分を有するバスダクトを接続する場合には、例えば特許文献１に開示されているような水平曲りバスダクトなるものを用いていた。
特許文献１に開示されている水平曲りバスダクトを図５に示す。図５が示すようにこの水平曲りバスダクト３０は、その内部に板状の導体２ａを絶縁被覆した複数本の絶縁被覆導体２が設けられ、中央の直線部にあってはこれら複数の絶縁被覆導体２が積層され、金属製のハウジング６に覆われている。
そして一方の端部にあっては、絶縁被覆導体２の先端部が隣接する絶縁被覆導体２間に所定の間隔を持たせるように拡げられた拡開段部４が設けられ、各絶縁被覆導体２の先端の絶縁被覆が必要長剥ぎ取られて接続部３５が形成されている。ここで符号３６はダクト側板を示している。
【０００３】
また他方の端部に延びる絶縁被覆導体２は、その端部で段差的に直角に折り曲げられて曲り部３７が設けられ、その先端で絶縁被覆が必要長剥ぎ取られて接続部３８が形成されている。ここで符号３９ａ、３９ｂはそれぞれ曲がり部３７の内側、外側に設けられた内側Ｌ型折曲ダクト側板、外側Ｌ型折曲ダクト側板を示している。
【０００４】
図５が示す特許文献１に開示された水平曲りバスダクト３０の場合、形成が難しい拡開段部４を一方の端部にのみ形成するだけで、その両端部に標準のバスダクトを接続できる利点がある。
【０００５】
ところでバスダクトを工場内等に布設する場合、既存の柱や排気ダクト等障害物を避けながら布設しなければならないため、通常、いずれかの接続個所で離間する２つのバスダクト間の寸法調整が必要になる。
そこで、例えば前記特許文献１記載の水平曲りバスダクト３０を用いて水平曲り部を形成しながら２つの方向の寸法調整を行おうとすると、図６が示すように水平曲りバスダクト３０の両端に寸法調整用バスダクトユニット４０、４０を各々接続する必要がある。
【０００６】
この寸法調整用バスダクトユニット４０としては、例えば図７が示すようなものがあり、この寸法調整用バスダクトユニット４０を離間距離を有する標準のバスダクト間に寸法調整用として挿入する。
この寸法調整用バスダクトユニット４０の一例としては、例えば銅やアルミニウム製の薄板を積層して形成され、その両端に端子５ａ、５ａを有する複数本の可撓性導体５と、この複数の可撓性導体５の両端に各々接続され、かつその外側をハウジング６で覆われている絶縁被覆導体２と、前記可撓性導体５や可撓性導体５と絶縁被覆導体２の接続部とを覆い、かつハウジング６に各々固定されている箱体４３と箱体４４とからなっている。
因みに可撓性導体５の長さは、接続される標準の２つのバスダクトの離間距離が、設計上最大になると予想される長さに対応できる長さに設定されている。
他方箱体４３と箱体４４は、箱体４４の端部が箱体４３の端部内側に内接状態でスライド可能になっていて、両箱体４３、４４とで構成される箱体全体の長さ方向の寸法、すなわち図７に向かって水平方向、つまりは左右方向の寸法が調整可能になっている。
より具体的に説明すると、箱体４３の端部の箱体４４の端部と重なる部分には、図７に向かって左右方向に長孔４５が設けられており、他方箱体４４には、この長孔４５に対応してネジ孔が形成されていて、長孔４５の長さの範囲内の所定位置で箱体４３と箱体４４とがボルト４６を介して固定されるようになっている。ここで符号４７は必要により使用されるワッシャである。
因みに箱体４３の長孔４５の長さ、及びその形成位置は、前述した可撓性導体５の長さと同様に、接続される両バスダクトの離間距離が最大になると予想される長さにも対応できるように設計されている。
【０００７】
このような寸法調整用バスダクトユニット４０を離間し対向している２つのバスダクト間に装着する場合には、まず箱体４３と箱体４４とを固定するボルト４６を緩めて箱体４３と箱体４４とが内接状態で互いにスライド可能な状態にする。その上で、箱体４３、４４の両端外部に突出している各絶縁被覆電線２の導体２ａからなる接続部３５と図示していない標準のバスダクトの導体２ａ間との接続を行う。この接続を行っている間に可撓性導体５が両バスダクト間の離間距離に対応して撓み、またこれに伴なって箱体４３と箱体４４とが内接状態でスライドして、離間距離の寸法調整が行われる。すなわち接続される両バスダクト間の離間距離が狭ければ狭いほど、可撓性導体５がより撓み、箱体同士の重なり量が大きくなってバスダクト間の離間距離の寸法調整が行われる。
このように可撓性導体５の撓み量の変化と、これに伴なう箱体同士の重なり量の変化により両バスダクト間の離間距離の寸法調整が行われたら、最後に箱体４３と箱体４４とを長孔４５の部分で箱体４４に設けられているネジ孔にボルト４６をワッシャ４７等を介して締め込めば、対向する標準のバスダクト間への寸法調整用バスダクトユニット４０の装着が完了する。
【０００８】
より判り易く説明すると、接続するバスダクト間の離間距離を寸法調整は、バスダクト間の離間距離が狭いほど可撓性導体５がより撓み、箱体４３、４４間の重なり量が多くなり、逆に離間距離があまり狭くなければ可撓性導体５の撓み量はより少なくなり、箱体４３、４４間の重なり量も同様により少なくなって、離間距離の寸法調整が行われる。
【０００９】
尚、前述した寸法調整用バスダクトユニット４０としては、図７に示すものの他に、例えば特許文献２に記載されているようなものもある。
【００１０】
【特許文献１】特開平１１−２９９０６４号公報
【特許文献２】特開２００３−１５８８１２号公報
【発明の開示】
【発明が解決しようとする課題】
【００１１】
ところで前述した寸法調整用バスダクトユニット４０をバスダクトの水平曲り部に用いた場合には、前述した図６が示すように水平曲りバスダクト３０の他に２つの寸法調整用バスダクトユニット４０を必要とする。すなわち３つの部品を必要とすることになる。その結果、部品管理も大変であり、しかも接続作業箇所も多くなって接続作業に多くの時間が必要になる、という問題がある。
【００１２】
そこで本発明の目的は、バスダクトの水平曲り部を形成するに際し、部品点数を少なくでき、それ故、部品管理が容易で、しかも接続作業時間を短縮できるＬ字型寸法調整用バスダクトユニットを提供することにある。
【課題を解決するための手段】
【００１３】
前記目的を達成すべく請求項１記載のＬ字型寸法調整用バスダクトユニットは、Ｌ字型の剛性筒体と、該Ｌ字型の剛性筒体の両端部にこのＬ字型の剛性筒体に対して出入り可能に装着されてなる伸縮調整バスダクト部材と、該伸縮調整バスダクト部材を前記Ｌ字型の剛性筒体内で電気的に接続する可撓性導体とを有することを特徴とするものである。
【００１４】
このようにしてなる請求項１記載のＬ字型寸法調整用バスダクトユニットによれば、その両端に、このＬ字型寸法調整用バスダクトユニットを構成するＬ字型の剛性筒体に対して出入り可能に装着されてなる伸縮調整バスダクト部材を有しているため、１つのＬ字型寸法調整用バスダクトユニットを用いるだけで、このＬ字型寸法調整用バスダクトユニットの両端に接続する、すなわち２方向に接続するバスダクトとの離間距離の寸法調整が可能なＬ字型寸法調整用バスダクトユニットを提供することができる。
そして使用する部品がこのＬ字型寸法調整用バスダクトユニットだけであるため、部品管理も容易で、しかも部品点数が少ないことから必要な接続箇所も少なくなり、接続作業時間の短縮も図ることができる。
【００１５】
また請求項２記載のＬ字型寸法調整用バスダクトユニットは、請求項１記載のＬ字型寸法調整用バスダクトユニットにおいて、前記Ｌ字型の剛性筒体内における前記伸縮調整バスダクト部材は、前記Ｌ字型の剛性筒体端部に装着されている蓋体との間に間隔を有した状態で支持部材を有していて、前記蓋体と前記支持部材との間隔を調整することで前記伸縮調整バスダクト部材の前記Ｌ字型の剛性筒体に対する出入り量を調整できるようになっていることを特徴とするものである。
【００１６】
このようにしてなる請求項２記載のＬ字型寸法調整用バスダクトユニットによれば、前記Ｌ字型の剛性筒体内における前記伸縮調整バスダクト部材に、前記Ｌ字型の剛性筒体端部に装着されている蓋体との間に間隔を有した状態で支持部材を装着しただけの簡単な構成で、しかもこれら蓋体と支持部材との間隔を調整するだけで前記伸縮調整バスダクト部材の前記Ｌ字型の剛性筒体に対する出入り量を簡単に調整することができる。すなわち、接続するバスダクトとの離間距離が一定でなくとも、１つの部品でその接続距離を容易に調整することができる。
【００１７】
さらに本発明の請求項３記載のＬ字型寸法調整用バスダクトユニットは、請求項２記載のＬ字型寸法調整用バスダクトユニットにおいて、前記Ｌ字型の剛性筒体の端部に装着された蓋体と前記伸縮調整バスダクト部材に設けられた支持部材とに跨って、これら蓋体と支持部材との間隔を調整する間隔調整ボルトが設けられていることを特徴としている。
【００１８】
このようにしてなる請求項３記載のＬ字型寸法調整用バスダクトユニットによれば、前記Ｌ字型の剛性筒体の端部に装着された蓋体と、前記伸縮調整バスダクト部材に設けられた支持部材との間隔を、ボルトという汎用の部品で調整することが可能になる。
それ故、スパナ等の汎用の工具が使用でき、しかも容易にボルトの締め込み量を調整できるため、接続するバスダクトとの離間距離の調整作業、すなわち寸法調整作業を極めて容易に行うことができる。
【発明の効果】
【００１９】
以上のように本発明によれば、バスダクトの水平曲り部を形成するに際し、部品点数を少なくでき、それ故、部品管理が容易で、しかも接続作業時間を短縮できるＬ字型寸法調整用バスダクトユニットを提供することができる。
【発明を実施するための最良の形態】
【００２０】
以下に本発明のＬ字型寸法調整用バスダクトユニットを図１〜図４を用いて詳細に説明する。
図１は本発明のＬ字型寸法調整用バスダクトユニットの一実施例を示すもので、Ｌ字型寸法調整用バスダクトユニットのＬ字型の剛性筒体３の上部を水平に切断して内部を見た説明図である。
【００２１】
図１が示すように、本発明のＬ字型寸法調整用バスダクトユニットは、金属製でＬ字型の剛性筒体３と、このＬ字型の剛性筒体３の両端部に、このＬ字型の剛性筒体３に対して出入り可能に装着されてなる伸縮調整バスダクト部材７と、この伸縮調整バスダクト部材７をＬ字型の剛性筒体３内で電気的に接続する可撓性導体５とを備えている。
前記伸縮調整バスダクト部材７は、銅板あるいはアルミニウム板からなる導体２ａに絶縁被覆を施した絶縁被覆導体２を複数本積層し、これを金属製のハウジング６で覆ったもので、その両端部には絶縁被覆導体２を接続のために広げた拡開段部４がそれぞれ形成されている。尚、絶縁被覆導体２は、その拡開段部４の先端で絶縁被覆が必要長剥ぎ取られ導体２ａが露出されている。
また可撓性導体５は、アルミニウム製の薄板を複数枚積層したものである。もちろん薄い銅板を複数枚積層したものであってもよい。
【００２２】
またＬ字型の剛性筒体３内における伸縮調整バスダクト部材７は、Ｌ字型の剛性筒体３の端部に装着されている蓋体３ａとの間に間隔を有した状態で支持部材８を有していて、蓋体３ａと支持部材８との間隔をこれら蓋体３ａと支持部材８とに跨って装着されている間隔調整ボルト９の締め込み量を調整することで調整できる。すなわち、蓋体３ａと支持部材８との間隔を調整することで、Ｌ字型の剛性筒体３に対する伸縮調整バスダクト部材７の出入り量、換言するとＬ字型の剛性筒体３の蓋体３ａからの伸縮調整バスダクト部材７の突出量を調整することができるようになっている。
【００２３】
ここで支持部材８の間隔調整ボルト９が貫通する部分には、ナット１０が溶接等により取り付けられていて、間隔調整ボルト９をこのナット１０に螺合させることで支持部材８をＬ字型の剛性筒体３の蓋体３ａに近づけたり、逆に蓋体３ａから離したりして、蓋体３ａと支持部材８との間隔を調整する。ここで符号９ａは間隔調整ボルト９に設けられているネジ部を示している。
ところで支持部材８は伸縮調整バスダクト部材７の金属製のハウジング６に溶接等でしっかりと固定されている。
【００２４】
伸縮調整バスダクト部材７のＬ字型の剛性筒体３内の端部においては、絶縁被覆導体２の導体２ａと可撓性導体５とが接続スリーブ１１により接続されている。
【００２５】
このようにしてなるＬ字型寸法調整用バスダクトユニットによりバスダクトの曲り部の両端で接続する別のバスダクトとの間の離間距離を寸法調整しながら接続する場合について、以下により具体的に説明する。
尚、可撓性導体５の長さを含めこのＬ字型寸法調整用バスダクトユニットそのものは、接続する標準のバスダクトとの離間距離が最大になると予想される場合でも対応できるように、その長さが設計されており、基本的にはこの最大離間距離よりも接続する相手のバスダクトとの距離が設計値より狭い場合に、その寸法を調整できるように考えられている。
それ故、以下には接続する相手バスダクトとの離間距離が設計値より狭い場合の寸法調整方法を、図１における水平方向の伸縮調整バスダクト部材７を拡大した図２を用いて説明することにする。
【００２６】
予め接続する相手バスダクトとの離間距離が最大の場合に対応できるようにＬ字型の剛性筒体３の蓋体３ａからの伸縮調整バスダクト部材７の突出量をほぼ最大にしたＬ字型寸法調整用バスダクトユニットを用意しておく。
そして接続相手のバスダクトとの距離が設計値より狭い場合には、図２における伸縮調整バスダクト部材７を矢印Ａ方向に移動させる必要がある。この場合には、蓋体３ａから突出している間隔調整ボルト９の頭部をスパナ等の工具で反時計方向に回転し、伸縮調整バスダクト部材７のＬ字型の剛性筒体３内に位置する部分に装着されている支持部材８を矢印Ｂ方向に移動させる。支持部材８の矢印Ｂ方向への移動に伴って伸縮調整バスダクト部材７全体がＬ字型の剛性筒体３内に引き込まれ、その際可撓性導体５もＬ字型の剛性筒体３内で撓んで伸縮調整バスダクト部材７のＬ字型の剛性筒体３内への移動を可能にする。
【００２７】
ところで前述した図７が示す従来の寸法調整用バスダクトユニット４０の場合には、水平曲りバスダクト３０と寸法調整用バスダクトユニット４０との接続作業に際して、可撓性導体５に可撓性があるとはいっても、実際にはこの可撓性導体５は前述したように銅板とかアルミニウム板といった金属板であるが故に、小さな力で簡単に撓むものではない。そのため離間距離の微調整が必要な場合には、調整作業が難しく、調整時間も長く掛かる、という問題があった。
しかしながら図１、図２が示す本発明のＬ字型寸法調整用バスダクトユニットを用いれば、伸縮調整バスダクト部材７と接続相手のバスダクトとの離間距離の寸法調整は、間隔調整ボルト９を汎用のスパナ等を用いて調整できるため作業が極めて容易である。しかも微妙な寸法調整を必要と考えるならば、間隔調整ボルト９のねじ部９ａのねじピッチをより小さいものにするだけで対応できる、という利点もある。
ところで離間距離の寸法調整の際に、伸縮調整バスダクト部材７の蓋体３ａからの突出量を大きくしたい場合には、間隔調整ボルト９を前述した場合とは逆方向に捩じって、伸縮調整バスダクト部材７のＬ字型の剛性筒体３内に位置する部分に装着されている支持部材８を蓋体３ａ側に移動させればよい。
【００２８】
図３は本発明のＬ字型寸法調整用バスダクトユニットの別の実施例を示すもので、可撓性導体５として銅やアルミニウム製の薄板を積層したものではなく、例えば銅線を編組状にしたものを用いている。
それ故、可撓性導体５と伸縮調整バスダクト部材７の絶縁被覆導体２の導体２ａとの接続は、前記図１、図２に示したような接続スリーブ１１ではなく、可撓性導体５の端末に接続した板状端子付き接続端子１２を用いている。すなわち可撓性導体５の端部に装着した板状端子付き接続端子１２の板状端子の中央に形成されているボルト穴と絶縁被覆導体２の板状導体２ａに設けられているボルト穴とにボルト１３を通し、これをナット１４で締め込んで導体２ａと板状端子付き接続端子１２の板状端子とを面接触させ、電気的に接続している。それ以外は図１、図２に示しものと基本的に同じであるため詳細な説明は省略する。
【００２９】
図４は本発明のＬ字型寸法調整用バスダクトユニットのさらに別の実施例を示すもので、支持部材８を灰皿状にしてその機械的強度を上げてある。それ以外の部分は前述した図３に示す実施例と同じ故、ここでは詳細な説明を省略する。
【００３０】
尚、前記各実施例では伸縮調整バスダクト部材７のＬ字型の剛性筒体３端部からの出入り量（突出量）を間隔調整ボルト９で調整しているが、間隔調整ボルト９以外の手段を用いて支持部材８とＬ字型の剛性筒体３の蓋体３ａとの間隔を調整するようにしてもよいことはいうまでもない。
【００３１】
以上述べたように本発明のＬ字型寸法調整用バスダクトユニットによれば、バスダクトの曲り部で、接続する相手バスダクトとの離間距離の寸法調整をＬ字型の剛性筒体の蓋体と伸縮調整バスダクト部材に装着してある支持部材との間隔を調整するだけで行えるため、調整作業を極めて容易に行うことができる。
しかも用意する部品は本発明のＬ字型寸法調整用バスダクトユニットを１つ用意するだけでよいため、部品管理も容易で、かつ部品が１つであることに伴ない接続箇所も減り、その分接続作業時間の短縮を図ることもできる。
【００３２】
このように本発明によれば、バスダクトの水平曲り部を形成するに際し、部品点数を少なくでき、それ故、部品管理が容易で、しかも接続作業時間を短縮できるＬ字型寸法調整用バスダクトユニットを提供することができる。
【図面の簡単な説明】
【００３３】
【図１】本発明のＬ字型寸法調整用バスダクトユニットの一実施例を示す説明図である。
【図２】本発明のＬ字型寸法調整用バスダクトユニットで接続する相手バスダクトとの離間距離を調整する方法を説明するための一部拡大説明図である。
【図３】本発明のＬ字型寸法調整用バスダクトユニットの別の実施例を示す一部拡大説明図である。
【図４】本発明のＬ字型寸法調整用バスダクトユニットのさらに別の実施例を示す一部拡大説明図である。
【図５】従来の水平曲りバスダクトの例を示す説明図である。
【図６】従来の水平曲り部における接続相手のバスダクトとの離間距離の寸法調整を行う場合の説明図である。
【図７】図６において寸法調整に使用する寸法調整用バスダクトユニットの一例を示す一部切開説明図である。
【符号の説明】
【００３４】
２  絶縁被覆電線
２ａ  導体
３  Ｌ字型の剛性筒体
３ａ  蓋体
４  拡開段部
５  可撓性導体
６  ハウジング
７  伸縮調整バスダクト部材
８  支持部材
９  間隔調整ボルト
１１  接続スリーブ
１２  板状端子付き接続端子
３０  水平曲りバスダクト
４０  寸法調整用バスダクトユニット
【図１】
2006149133.tif 000003
【図２】
2006149133.tif 000004
【図３】
2006149133.tif 000005
【図４】
2006149133.tif 000006
【図５】
2006149133.tif 000007
【図６】
2006149133.tif 000008
【図７】
2006149133.tif 000009